(57)【要約】【課題】第１の表色系色空間における色再現領域を、機器依存性のない基準表色系色空間を介して第２の表色系色空間の色再現領域に変換する際に、虚色となる点についても、色空間変換を行うことができるようにする。【解決手段】第１の表色系色空間内の変換前の点が、基準表色系色空間では存在しない色の場合には、変換前の点の周囲の点に対応する第２の表色系色空間内の点から、変換前の点に対応する第２の表色系色空間内の点を求める。【選択図】図５
2010161687.tif 000002
【特許請求の範囲】
【請求項１】
第１の表色系色空間における色再現領域を基準表色系色空間を介して第２の表色系色空間の色再現領域に変換する色空間変換方法において、
上記第１の表色系色空間内の変換前の点が上記基準表色系色空間では存在しない色の場合には、上記変換前の点の周囲の点に対応する上記第２の表色系色空間内の点から、変換前の点に対応する上記第２の表色系色空間内の点を求める
ことを特徴とする色空間変換方法。
【請求項２】
請求項１記載の色空間変換方法において、
前記変換前の点は、前記第１の表色系色空間における色再現領域内で、かつ元々の色再現領域を拡張した領域内に存在するものであることを特徴とする色空間変換方法。
【請求項３】
請求項１または２記載の色空間変換方法により前記第１の表色系色空間の座標点と前記第２の表色系色空間の座標点とを対応させ、前記第１の表色系色空間の座標点と画像処理装置が使用する色データとの対応が登録された色変換テーブルから、前記第２の表色系空間の座標点と上記画像処理装置が使用する色データとの対応を表す色変換テーブルを生成する色変換テーブルの生成方法。
【請求項４】
請求項３記載の色変換テーブルの生成方法により生成された色変換テーブルを有し、前記第２の表色系色空間上で表現される色彩値からなる画像を入力とし、入力された色彩値に対して上記色変換テーブルを参照することにより得られる色データに基づいて印刷処理を行うことを特徴とする印刷装置。
【請求項５】
請求項１または２記載の色空間変換方法により前記第１の表色系色空間の座標点と前記第２の表色系色空間の座標点とを対応させ、
前記第１の表色系色空間の座標点と画像処理装置が使用する色データとの対応が登録された第１の色変換テーブルから、前記第２の表色系空間の座標点と上記画像処理装置が使用する色データとの対応を表す第２の色変換テーブルを生成し、
この第２の色変換テーブルを不揮発性メモリに蓄えて印刷装置に搭載する
ことを特徴とする印刷装置の製造方法。
【発明の詳細な説明】
【技術分野】
【０００１】
本発明は、色空間変換方法、色変換テーブルの生成方法、印刷装置および印刷装置の製造方法に関する。
【背景技術】
【０００２】
カラー画像を数値の組み合わせで表現する表色系として、赤（Ｒ）、緑（Ｇ）および青（Ｂ）のそれぞれの色彩値を用いるＲＧＢ表色系や、シアン（Ｃ）、マゼンタ（Ｍ）、イエロー（Ｙ）のそれぞれの色彩値を用いるＣＭＹ表色系（あるいは黒（Ｋ）を加えたＣＭＹＫ表色系）が良く知られている。ＲＧＢ表色系は、ＣＲＴ、液晶表示装置、プラズマディスプレイなど、発光色あるいは透過光色を組み合わせて色を表現する機器で利用される。一方、ＣＭＹ表色系は、写真印画紙や印刷装置などに利用される。また、人間の知覚に対応し、機器に依存しない表色系として、Ｌ＊ａ＊ｂ＊（以下単に「Ｌａｂ」という）表色系なども利用される。機器に依存しない表色系としては、他に、ＸＹＺ表色系やＬ＊ｕ＊ｖ＊（以下単に「Ｌｕｖ」という）表色系などがある。
【０００３】
このように種々の表色系が存在し、また、機器によっても適した表色系が異なることから、異なる表色系を使用する機器からのカラー画像データを処理するためには、表色系の色空間を変換する必要がある。このような変換は、入力表色系の色空間における色彩値に対して、自分の使用する表色系の色空間における色彩値を対応させた、ルックアップテーブル（ＬＵＴ：Ｌｏｏｋ  Ｕｐ  Ｔａｂｌｅ）を参照することにより行われる。例えば印刷装置であれば、Ｌａｂ表色系やＲＧＢ表色系などの入力に対して、ＬＵＴを参照して、ＣＭＹ表色系あるいは個々のインクの量を表すデータを得ている。
【０００４】
ＬＵＴを作成するには、入力側の表色系の色と、出力側の表色系の色との対応を実際に測定して求める必要がある。ただし、既存のＬＵＴにおける表色系となんらかの関係がある表色系を用いる場合には、その既存のＬＵＴを色空間変換することで、あらたなＬＵＴを作成することができる。このような例として、特許文献１には、印刷対象の用紙についてメディア変換を行うことで、光沢紙用のＬＵＴから高品位専用紙用のＬＵＴを作成することが記載されている。
【０００５】
また、機器依存性のない表色系との関係が既知である場合には、その機器依存性のない表色系を介して色空間変換を行うことで、既存のＬＵＴから、他の表色系のＬＵＴを作成することができる。例えば、Ｌａｂ表色系とＸＹＺ表色系とは既知の数式により色空間変換が可能であり、ＸＹＺ表色系とＬｕｖ表色系も既知の数式により色空間変換が可能であることから、原理的には、ＸＹＺ表色系を介して、Ｌａｂ表色系の色データを入力または出力とするＬＵＴから、Ｌｕｖ表色系を入力または出力とするＬＵＴを作成することができる。
【先行技術文献】
【特許文献】
【０００６】
【特許文献１】特開２００１−１８６３６８号公報
【発明の概要】
【発明が解決しようとする課題】
【０００７】
機器の色再現特性を実際に測定して設定された色再現領域に基づくかぎり、機器依存性のない表色系を介して色空間変換を行うことは、一般に可能である。一方で、元の画像データには無い色再現領域（これを「ガマット」という）まで出力側で再現できる場合に、元の画像データの色再現領域（「ソースガマット」という）を拡張することがある。このような場合、色によっては、機器依存性のない表色系で存在しない色（これを「虚色」という）となることがある。このような虚色については、色空間変換を行うことができない。虚色を避けるには、虚色となる部分だけソースガマットの拡張量を変更するなどの工夫が必要となり、手間がかかってしまう。
【０００８】
本発明は、このような課題を解決し、虚色となる点についても色空間変換を行うことのできる色空間変換方法、およびそれを利用した色変換テーブルの生成方法、印刷装置および印刷装置の製造方法を提供することを目的とする。
【課題を解決するための手段】
【０００９】
本発明の第１の観点によると、第１の表色系色空間における色再現領域を基準表色系色空間を介して第２の表色系色空間の色再現領域に変換する色空間変換方法において、第１の表色系色空間内の変換前の点が基準表色系色空間では存在しない色の場合には、変換前の点の周囲の点に対応する第２の表色系色空間内の点から、変換前の点に対応する第２の表色系色空間内の点を求めることを特徴とする色空間変換方法が提供される。基準表色系色空間では存在しない色となる変換前の点としては、第１の表色系色空間における色再現領域内で、かつ元々の色再現領域を拡張または圧縮した領域内に存在するものが想定される。
【００１０】
本発明の第２の観点によると、上述の色空間変換方法により第１の表色系色空間の座標点と第２の表色系色空間の座標点とを対応させ、第１の表色系色空間の座標点と画像処理装置が使用する色データとの対応が登録された色変換テーブルから、第２の表色系空間の座標点と画像処理装置が使用する色データとの対応を表す色変換テーブルを生成する色変換テーブルの生成方法が提供される。
【００１１】
本発明の第３の観点によると、上述の色変換テーブルの生成方法により生成された色変換テーブルを有し、第２の表色系色空間上で表現される色彩値からなる画像を入力とし、入力された色彩値に対して色変換テーブルを参照することにより得られる色データに基づいて印刷処理を行うことを特徴とする印刷装置が提供される。
【００１２】
本発明の第４の観点によると、上述の色空間変換方法により第１の表色系色空間の座標点と第２の表色系色空間の座標点とを対応させ、第１の表色系色空間の座標点と画像処理装置が使用する色データとの対応が登録された第１の色変換テーブルから、第２の表色系空間の座標点と画像処理装置が使用する色データとの対応を表す第２の色変換テーブルを生成し、この第２の色変換テーブルを不揮発性メモリに蓄えて印刷装置に搭載することを特徴とする印刷装置の製造方法が提供される。
【発明の効果】
【００１３】
本発明によれば、基準表色系色空間で虚色となる点についても、色空間変換を行うことができる。
【図面の簡単な説明】
【００１４】
【図１】本発明の実施の形態に係る画像処理システムのブロック構成図である。
【図２】ガマットが拡張されていない場合の色空間変換を説明する図である。
【図３】図２に示すガマットが拡張されている場合の色空間変換を説明する図である。
【図４】虚色となる点を色空間変換する方法を説明する図である。
【図５】図２から図４を参照して説明した色空間変換を用いて、図１に示す画像処理システム内の印刷装置のＬＵＴを生成するフローチャートである。
【発明を実施するための形態】
【００１５】
以下、本発明の実施の形態について、図面を参照して説明する。
【００１６】
［システム構成］
図１は本発明の実施の形態に係る画像処理システムのブロック構成図である。この画像処理システムは、画像データが入力される画像処理装置１と、この画像処理装置１が処理する画像データを表示する表示装置２と、画像処理装置１により処理された画像データを印刷する印刷装置３を有する。印刷装置４内には、画像処理装置１からの機器に依存しない表色系での画像データの入力に対して、機器に依存するＣＭＹ表色系の画像データを生成するＬＵＴ４が不揮発性メモリに蓄えられている。
【００１７】
[色空間変換]
図２は、ガマットが拡張されていない場合の色空間変換を説明する図である。ここでは、第１の表色系色空間としてＬａｂ表色系、基準表色系色空間としてＸＹＺ表色系、第２の表色系色空間としてＬｕｖ表色系を用いる例を説明する。すなわち、Ｌａｂ表色系のガマット１１を、ＸＹＺ表色系を介して、Ｌｕｖ表色系のガマット１２に色変換する。Ｌａｂ表色系とＸＹＺ表色系とは既知の数式により色空間変換が可能であり、ＸＹＺ表色系とＬｕｖ表色系も既知の数式により色空間変換が可能であることから、ガマット１１とガマット１２とは可逆的に色空間を変換することができる。
【００１８】
図３は、図２に示すガマット１１がガマット２１に拡張されている場合の色空間変換を説明する図である。ガマット１１がガマット２１に拡張されることに対応して、Ｌｕｖ表色系のガマット１２もガマット２２に拡張される。ガマット２１は、画像処理装置１では再現できない領域まで拡張されている。このため、拡張された領域にある点の中には、ＸＹＺ表色では存在しない虚色（Ｘ、ＹあるいはＺの値が負値）となるものがある。これを図では点３１として示す。このような点３１については、ガマット２２内に点３２として色空間変換できればよいが、そのままでは色空間変換することはできない。
【００１９】
図４は、虚色となる点を色空間変換する方法を説明する図である。点３１がＸＹＺ表色系色空間では虚色となる場合には、ガマット２１内の点３１の周囲の点に相当するガマット２２上の虚飾とならない点４１、４２と、元々色空間変換が可能な点４３、４４、４５とから、点３１に対応するガマット２２上の点３２を求める。点３２の求め方としては、ガマット１２上の点４３とガマット２２上の点４１との関係、およびガマット１２上の点４４とガマット２２上の点４２との関係から補正量を算出し、ガマット１２上の点４５にその補正量を適用することで、点３２を求めることができる。また、単純には、ガマット２２上の拡張された領域に色空間変換された点４１、４２の値を平均して点３２とする方法も採用できる。さらに、単純な平均ではなく、ガマット２１上の対応する点に対応する重み付けを行ってもよい。
【００２０】
以上説明した色空間変換方法を用いることで、基準表色系色空間で虚色となる点についても、色空間変換を行うことができる。
【００２１】
以上の説明ではＬａｂ表色系からＸＹＺ表色系を介してＬｕｖ表色系に色空間変換を行う場合を例に説明したが、第１の表色系色空間および第２の表色系色空間としてはどのような色空間を用いてもよく、機器依存性の色空間を用いることもできる。基準表色系色空間としては、ＸＹＺ表色系の他に、Ｌａｂ表色系やＬｕｖ表色系の色空間を用いることもできる。
[ＬＵＴの生成］
【００２２】
図５は、図２から図４を参照して説明した色空間変換を用いて、図１に示す画像処理システム内の印刷装置３のＬＵＴ４を生成するフローチャートである。図３に示すように、ガマット１１をガマット２１に拡張した後（ステップＳ１１）、ガマット２１内の点を基準表色系色空間（ＸＹＺ表色系）を介して他の表色系色空間（Ｌｕｖ表色系）の点に変換する（ステップＳ１２）。このとき、ガマット２１内の点３１のように基準表色系色空間では虚色となる場合（ステップＳ１３でＹ）には、周辺の情報を用いて変換先の点を予測する（ステップＳ１４）。これをガマット２１内のすべての座標点について繰り返す（ステップＳ１５）。これにより、ガマット２１からガマット２２への色空間変換が完了し、互いの座標点の対応が得られる。続いて、ガマット２１の座標点と印刷装置３が使用する色データとの対応が登録されたＬＵＴテーブルを、ガマット２２の座標点と印刷装置３が使用する色データとの対応を表すＬＵＴに変換する。得られたＬＵＴを不揮発性メモリに蓄えて、印刷装置３にＬＵＴ４として搭載する。
【００２３】
［他の実施の形態］
以上、本発明の実施の形態に係る画像処理システムおよび印刷装置について説明したが、本発明は要旨を変更しない限り種々変更して実施できる。例えば、図４に示す点３２を求める方法としては、上述した方法の他、周囲に十分な数の点がある場合には、一般にＬＵＴの補間方法として用いられる立方体補間や四面体補間を利用することもできる。点３２の近傍の点も虚色となる場合には、さらに周囲の点を用いる。
【００２４】
また、印刷装置３内に画像処理装置１を組み込んでもよく、表示装置２を組み込んでもよい。すなわち、印刷機能付の画像処理装置としたり、表示機能付の画像処理装置としてもよい。さらには、印刷機能と表示機能との両機能を有する画像処理装置としてもよい。このような場合、表示機能を有する部分は、画像処理装置の表示部となり、印刷機能を有する部分は、画像処理装置内の印刷部となる。
【符号の説明】
【００２５】
１  画像処理装置、２  表示装置、３  印刷装置、１１、１２  ガマット、２１、２２  拡張されたガマット
【図１】
2010161687.tif 000003
【図２】
2010161687.tif 000004
【図３】
2010161687.tif 000005
【図４】
2010161687.tif 000006
【図５】
2010161687.tif 000007